(57)【要約】【課題】バックライトのバラツキや径時変化に起因する輝度ムラを確実に解消する。【解決手段】液晶パネルにおける光の透過率の増加およびバックライトから出射する光の光量の低下の前後において、液晶パネルの輝度が変化したなら、輝度差解消部７１は、これらの輝度の差をなくすための変調量ｆおよび制御量ｇを求める。バックライト制御部８は、直前のフレーム期間においてバックライト内のＬＥＤから出射した光の光量から制御量ｇを減算し、減算後の光量の光をＬＥＤから出射させる。各変調回路３は、直前のフレーム期間において表示された画像の表示に用いられた各階調値に変調量ｆを加算する。これにより、加算後の階調値による画像が表示される。【選択図】図１
2008310148.tif 000002
【特許請求の範囲】
【請求項１】
液晶パネルと、
前記液晶パネルの背面に位置するバックライトと、
前記液晶パネルの輝度が変化しないように、前記液晶パネルにおける光の透過率を増加させるとともに前記バックライトから出射する光の光量を低下させる制御部と、
前記液晶パネルの輝度を測定する輝度測定回路と、
前記測定された輝度情報に基づき、前記バックライトに起因する輝度の差がなくなるように、前記光の透過率と前記光量の少なくとも一方を変化させる輝度差解消部と
を備えることを特徴とする液晶表示装置。
【請求項２】
液晶パネルと、
前記液晶パネルの背面に位置するバックライトと、
前記液晶パネルの輝度が変化しないように、前記液晶パネルにおける光の透過率を増加させるとともに前記バックライトから出射する光の光量を低下させる制御部と、
前記液晶パネルの輝度を測定する輝度測定回路と、
前記制御部の制御による光の透過率の増加および前記光量の低下の前後において測定された輝度の差がなくなるように、前記光の透過率と前記光量の少なくとも一方を変化させる輝度差解消部と
を備えることを特徴とする液晶表示装置。
【請求項３】
液晶パネルと、
前記液晶パネルの背面に位置するバックライトと、
前記液晶パネルの輝度が変化しないように、前記液晶パネルにおける光の透過率を増加させるとともに前記バックライトから出射する光の光量を低下させる制御部と、
前記液晶パネルの輝度を測定する輝度測定回路と、
前記液晶パネルに予め定められた画像を表示させたときに測定された輝度と予め定められた輝度との差がなくなるように、前記光の透過率と前記光量の少なくとも一方を変化させる輝度差解消部と
を備えることを特徴とする液晶表示装置。
【請求項４】
前記制御部は、
前記液晶パネルに表示されている画像を表示するために用いられた階調値に基づいて、前記光の透過率の最大値に満たない値に設定された領域を求め、前記領域における光の透過率を増加させるとともに前記バックライトの中の前記領域に対応する光源から出射する光の光量を低下させる
ことを特徴とする請求項１ないし３のいずれかに記載の液晶表示装置。
【発明の詳細な説明】
【技術分野】
【０００１】
本発明は、バックライトのバラツキや径時変化に起因する輝度ムラを確実に解消することを図った液晶表示装置に関する。
【背景技術】
【０００２】
従来において、アクティブマトリクス型の液晶表示装置は、その多くがバックライトを備える。近年では、冷陰極管を用いたバックライトに代えて、導光板の側面にＬＥＤを配したバックライト、いわゆるサイドライト型のバックライトが用いられる。
【０００３】
このようなバックライトの種類によらず、液晶表示装置では、黒い画像を表示するときは、画像を白側に変調し、バックライトの光量を少なくすることで、消費電力の低下が図られる。
【０００４】
図５に示すように、例えば、サイドライト型のバックライトを用い、黒地に白点を有する画像を液晶パネル１２に表示する場合は、各ＬＥＤの光量を一様に少なくし、画像を白側に変調する。このとき、白点の明るさが不足する場合があるが、だからといって、白点に届く光を発するＬＥＤ９の光量を多くすると、ＬＥＤ９の光が届く領域と黒地の重なり部分の輝度が高くなり、その結果、輝度ムラが生じる。
【０００５】
そこで、ＬＥＤ９の光量は多くし、ＬＥＤ９の光が届く領域と黒地とが重なる部分では白側への変調を弱めるという制御によって、この輝度ムラが解消される。
【０００６】
このような制御を行うためには、予め１つのＬＥＤの位置とその光の届く領域との相対的な位置関係を求め、それをグラフィックチップなどに記憶しておけばよい。こうしておけば、この記憶内容に基づいて、上述の制御を行うことができる。
【特許文献１】特開２００５−２５８４０３号公報
【発明の開示】
【発明が解決しようとする課題】
【０００７】
しかし、導光板には導光性能のバラツキがあり、また、ＬＥＤには光が届く範囲や光量のバラツキおよび径時変化があるため、上述したような位置関係を求め、それをグラフィックチップなどに記憶しておく方法では、輝度ムラを解消できない場合があった。
【０００８】
本発明は、上記の課題に鑑みてなされたものであり、その目的とするところは、バックライトのバラツキや径時変化に起因する輝度ムラを確実に解消することを図った液晶表示装置を提供することにある。
【課題を解決するための手段】
【０００９】
上記の課題を解決するために、第１の本発明に係る液晶表示装置は、液晶パネルと、前記液晶パネルの背面に位置するバックライトと、前記液晶パネルの輝度が変化しないように、前記液晶パネルにおける光の透過率を増加させるとともに前記バックライトから出射する光の光量を低下させる制御部と、前記液晶パネルの輝度を測定する輝度測定回路と、前記測定された輝度情報に基づき、前記バックライトに起因する輝度の差がなくなるように、前記光の透過率と前記光量の少なくとも一方を変化させる輝度差解消部とを備えることを特徴とする。
【００１０】
第１の本発明にあっては、輝度の差がなくなるように、透過率と光量の少なくとも一方を変化させる輝度差解消部を設けたことで、透過率と光量の少なくとも一方を変化させて、輝度の差をなくすことができ、よって、バックライトのバラツキや径時変化に起因する輝度ムラを確実に解消することができる。
【００１１】
第２の本発明に係る液晶表示装置は、液晶パネルと、前記液晶パネルの背面に位置するバックライトと、前記液晶パネルの輝度が変化しないように、前記液晶パネルにおける光の透過率を増加させるとともに前記バックライトから出射する光の光量を低下させる制御部と、前記液晶パネルの輝度を測定する輝度測定回路と、前記制御部の制御による光の透過率の増加および前記光量の低下の前後において測定された輝度の差がなくなるように、前記光の透過率と前記光量の少なくとも一方を変化させる輝度差解消部とを備えることを特徴とする。
【００１２】
第２の本発明にあっては、光の透過率の増加および光量の低下の前後において測定された輝度の差がなくなるように、透過率と光量の少なくとも一方を変化させる輝度差解消部を設けたことで、透過率と光量の少なくとも一方を変化させて、輝度の差をなくすことができ、よって、バックライトのバラツキや径時変化に起因する輝度ムラを確実に解消することができる。
【００１３】
第３の本発明に係る液晶表示装置は、液晶パネルと、前記液晶パネルの背面に位置するバックライトと、前記液晶パネルの輝度が変化しないように、前記液晶パネルにおける光の透過率を増加させるとともに前記バックライトから出射する光の光量を低下させる制御部と、前記液晶パネルの輝度を測定する輝度測定回路と、前記液晶パネルに予め定められた画像を表示させたときに測定された輝度と予め定められた輝度との差がなくなるように、前記光の透過率と前記光量の少なくとも一方を変化させる輝度差解消部とを備えることを特徴とする。
【００１４】
第３の本発明によれば、予め定められた画像が表示されているときに測定された輝度と予め定められた輝度との間の差がなくなるように、光の透過率と光量の少なくとも一方を変化させる輝度差解消部を設けたことで、透過率と光量の少なくとも一方を変化させて、輝度の差をなくすことができ、よって、バックライトのバラツキや径時変化に起因する輝度ムラを確実に解消することができる。
【発明の効果】
【００１５】
本発明によれば、透過率と光量の少なくとも一方を変化させて、輝度の差をなくすことができ、よって、バックライトのバラツキや径時変化に起因する輝度ムラを確実に解消することができる。
【発明を実施するための最良の形態】
【００１６】
以下、本発明の実施の形態を図面を参照して説明する。
【００１７】
図１は、本発明の実施の形態に係る液晶表示装置の平面図とブロック図を示す。
【００１８】
この液晶表示装置は、液晶層、アレイ基板および対向基板（共に図示せず）を含む液晶パネルを備える。液晶層は、アレイ基板と対向基板の間に配置される。
【００１９】
アレイ基板内においては、複数の信号線Ｘと複数の走査線Ｙが形成され互いに交差している。信号線Ｘと走査線Ｙの各交差部には画素Ｅが配置される。各画素Ｅ内には、薄膜トランジスタＱと画素電極Ｐと光センサＳが形成される。光センサＳは、信号線Ｘと走査線Ｙに接続されている。
【００２０】
液晶表示装置は、１つのシフトレジスタ１、信号線Ｘごとのラッチ回路２、信号線Ｘごとの変調回路３、信号線Ｘごとのデジタルアナログ変換回路（以下、「ＤＡ変換回路」という）４、信号線Ｘごとのスイッチ素子５、信号線Ｘごとのアナログデジタル変換回路（以下、「ＡＤ変換回路」という）６、信号線Ｘごとの増幅器（アンプ）の組ａ、制御部７およびバックライト制御部８を備える。アンプの組ａは、アンプａ１およびアンプａ２からなる。
【００２１】
図示しないが、サイドライト型のバックライト（以下、単に「バックライト」という）がアレイ基板の背面に設けられている。そして、バックライト制御部８は、そのバックライトから出射する光の光量を制御するようになっている。
【００２２】
制御部７は、液晶パネルの輝度が変化しないように、液晶パネルにおける光の透過率を増加させるとともにバックライトから出射する光の光量を低下させるものである。
【００２３】
光センサＳは、液晶パネルの輝度を測定するものであり、輝度測定回路に相当する。
【００２４】
制御部７は、光の透過率の増加および光量の低下の前後において測定された輝度の間に差があったなら、当該差がなくなるように、光の透過率および光量をさらに変化させる輝度差解消部７１を備える。
【００２５】
輝度差解消部７１は、測定された輝度において、バックライトのバラツキまたは径時変化に起因する輝度の差が生じたなら、当該差がなくなるように、光の透過率および光量をさらに変化させるのである。
【００２６】
デジタル画像データが供給されるシフトレジスタ１の出力は、各信号線Ｘ毎に対応するようにラッチ回路２に供給され、ラッチ回路２の出力は変調回路３に供給される。後述する輝度差解消部７１からの変調信号が到来しない場合には、何等変調動作を受けない。また、変調回路３の出力は、ＤＡ変換回路４によってアナログデータに変換され、ＤＡ変換回路４の出力は、アンプａ１を介し、スイッチ素子５の端子５１に供給される。
【００２７】
また、液晶表示装置において、スイッチ素子５の切換端子５２が、信号線Ｘに接続され、スイッチ素子５の端子５３が、アンプａ２を介して、ＡＤ変換回路６に接続される。このスイッチ素子５は、走査期間（書込み期間）中は切換端子５２が端子５１側に切換え接続され、水平ブランキング期間Ｈのみ切換端子５２が端子５３側に切換え接続されるように制御されている。換言すれば、光センサＳの出力は水平ブランキング期間Ｈのみスイッチ素子５を介してＡＤ変換回路６に供給されることになる。また、ＡＤ変換回路６の出力が、制御部７に供給され、制御部７の出力が、変調回路３とバックライト制御部８に供給される。
【００２８】
図２に示すように、制御部７は、バックライトに光源として設けられた各発光ダイオード（以下、「ＬＥＤ」という）９に対応する液晶パネルの表示領域１０の位置を参照テーブル等に記憶している。
【００２９】
制御部７は、液晶パネルに表示されている画像を表示するために用いられた階調値に基づいて、光の透過率の最大値に満たない値に設定された表示領域１０を求め、参照テーブルに記憶されている階調値に基づく透過率や輝度補正データによって、その表示領域１０における光の透過率を増加させるとともにバックライトの中のその表示領域１０に対応するＬＥＤ９から出射する光の光量を低下させるようになっている。
【００３０】
そのような制御を行うため、制御部７は、表示領域１０のピッチ１１を記憶している。
【００３１】
また、制御部７は、表示領域１０の１つである表示領域１０’における光の透過率を増加させるための変調量が得られる関数（「関数Ｆ」という）と、表示領域１０’に対応するＬＥＤ９から出射する光の光量を低下させるための制御量が得られる関数（「関数Ｇ」という）とを記憶している。
【００３２】
変調量は、液晶パネルに表示されている画像を表示するために用いられた階調値に対して加算される値である。
【００３３】
制御量は、ＬＥＤ９から出射する光の光量から減算される値である。
【００３４】
関数Ｆ、Ｇ共に、引数は、現在表示されている画像を表示するために用いられた各階調値の中の最高階調値Ｇｍａｘおよび最低階調値Ｇｍｉｎ、最高階調値Ｇｍａｘに対応する画素Ｅｍａｘを含む表示領域１０”と表示領域１０’との間のピッチΔである。なお、図２は、画素Ｅｍａｘとともに、最低階調値Ｇｍｉｎに対応する画素Ｅｍｉｎを例示している。
【００３５】
液晶表示装置は、階調値を大きくすると、この階調値に対応する画素において光の透過率が高くなるような論理で制御を行う。なお、この論理とは逆の論理で制御を行ってもよい。
【００３６】
制御部７は、表示領域１０’における光の透過率を増加または低下させるための変調量が得られる関数（「関数ｆ」という）と、表示領域１０’に対応するＬＥＤ９から出射する光の光量を増加または低下させるための制御量が得られる関数（「関数ｇ」という）とを記憶している。
【００３７】
この変調量は、液晶パネルに表示されている画像を表示するために用いられた階調値に対して加算される値である。なお、この変調量は、負値となる場合があり、その場合は、階調値に対して実質的には減算される値である。
【００３８】
制御量は、ＬＥＤ９から出射する光の光量から減算される値である。なお、この制御量は、負値となる場合があり、その場合は、光量に対して実質的には加算される値である。
【００３９】
関数ｆ、ｇ共に、引数は補正量ｋであり、関数ｆ、ｇにより、この補正量ｋに応じた変調量、制御量が得られる。
【００４０】
（第１の実施の形態の動作）
次に、液晶表示装置の動作を説明する。
【００４１】
ここでは、液晶表示装置が、例えば外部からの信号に応じた画像を表示していることとする。
【００４２】
まず、ある水平ブランキング期間（以下、「水平ブランキング期間Ｈ１」という）での動作を説明する。
【００４３】
図３に示すように、画素Ｅの位置により輝度が異なっており、各位置の画素Ｅ内の光センサＳは、この画素Ｅの位置の輝度を測定する。その輝度に応じたアナログ電圧は、切換端子５２と端子５３とが接続されたスイッチ素子５、アンプａ２、ＡＤ変換回路６を介し、デジタル信号として制御部７に通知される。制御部７は、この輝度情報を記憶する。
【００４４】
制御部７は、水平ブランキング期間Ｈ１の直前のフレーム（表示）期間（以下、「フレーム期間Ｆ１」という）に表示された画像を表示するために用いられた各階調値の中の最高階調値Ｇｍａｘおよび最低階調値Ｇｍｉｎを求める。これらの各階調値は、例えば、図示しない参照テーブルを有するメモリに記憶されているので、制御部７は、そのメモリから最高階調値Ｇｍａｘと最低階調値Ｇｍｉｎを検索する。なお、制御部７は、新たな階調値がメモリに記憶されない限り、最高階調値Ｇｍａｘおよび最低階調値Ｇｍｉｎを再び求めないようになっている。
【００４５】
制御部７は、各表示領域１０について並列に処理を行う。各処理の原理は同じであるから、表示領域１０の１つである表示領域１０’についての処理を説明し、他の表示領域１０については説明を省略する。
【００４６】
制御部７は、最高階調値Ｇｍａｘに対応する画素を含む表示領域１０”と表示領域１０’との間のピッチΔを求める。
【００４７】
制御部７は、関数Ｆに、最高階調値Ｇｍａｘ、最低階調値ＧｍｉｎおよびピッチΔを入力し、変調量（変調量Ｆという）を得る。
【００４８】
制御部７は、関数Ｇに、最高階調値Ｇｍａｘ、最低階調値ＧｍｉｎおよびピッチΔを入力し、制御量（制御量Ｇという）を得る。
【００４９】
制御部７は、変調量Ｆを表示領域１０’に対応する各変調回路３に伝え、変調回路３を通過するデジタル画像データの階調値を変化させると共に、制御量Ｇと表示領域１０’の位置をバックライト制御部８に伝える。バックライト制御部８は、フレーム期間Ｆ１において表示領域１０’に対応するＬＥＤ９から出射した光の光量から制御量Ｇを減算する。
【００５０】
次に、水平ブランキング期間Ｈ１に続くフレーム（表示）期間（以下、「フレーム期間Ｆ２」という）について説明する。
【００５１】
フレーム期間Ｆ２において各変調回路３は、表示領域１０’に表示される画像の表示に用いられる各階調値に変調量Ｆを加算する。そして、表示領域１０’には、加算後の階調値による画像が表示される。
【００５２】
具体的には、まず、加算後の階調値をＤＡ変換回路４がアナログの映像信号に変換する。その映像信号は、アンプａ１、端子５１と切換端子５２とが接続されたスイッチ素子５、信号線Ｘおよびオンした薄膜トランジスタＱを介して、画素電極Ｐに印加される。一方、対向基板に設けられる対向電極にも所定の電圧が印加される。これにより、液晶における光の透過率が階調値に応じたものとなる。そして、バックライトから出射する光の内、この透過率に応じた分だけが液晶パネルの前面から出射する。フレーム期間Ｆ２においては、このバックライトから出射する光の光量が低下する。
【００５３】
つまり、フレーム期間Ｆ２においてバックライト制御部８は、表示領域１０’に対応するＬＥＤ９から減算後の光量の光を出射させる。
【００５４】
図４に示すように、ある階調値を変調（加算）すると、その階調値に対応する画素の位置の液晶において光の透過率が増加する。ＬＥＤ９から出射する光の光量を低下させないと、その位置における輝度が増加してしまう。しかし、実際には、ＬＥＤ９から出射する光の光量を低下させるので輝度が維持される。また、ＬＥＤ９から出射する光の光量を低下させるので、消費電力を低減させることができる。
【００５５】
ところで、最高階調値Ｇｍａｘに対応する画素などについては、その階調値が光の透過率の最大値に対応するあるいは近い場合があるので、階調値を増加させることができないまたはできても少なくしか増加させられない場合がある。
【００５６】
したがい、関数ＦおよびＧは、光の透過率の最大値に対応する階調値ＧＭを予め記憶し、階調値ＧＭと最高階調値Ｇｍａｘとの比較、あるいは、ピッチΔが０であるか否かに基づいて、表示領域１０’が、その最大値に満たない透過率に設定された表示領域であるかを判定し、表示領域１０’がそのような表示領域であるならば、光の透過率を増加させる余地があるので、変調量Ｆおよび制御量Ｇに０以外の値を設定するようになっている。
【００５７】
逆に、関数ＦおよびＧは、表示領域１０’が、その光の透過率の最大値に設定された表示領域であるならば、光の透過率を増加させる余地がないので、変調量Ｆおよび制御量Ｇに０の値を設定するようになっている。
【００５８】
また、関数ＦおよびＧは、最高階調値Ｇｍａｘと最低階調値ＧｍｉｎとピッチΔに基づいて、変調量Ｆおよび制御量Ｇの大きさを求めるようになっている。つまり、関数ＦおよびＧは、最高階調値Ｇｍａｘと最低階調値Ｇｍｉｎとの差が大きいほど、変調量Ｆおよび制御量Ｇが大きくなるように調整されている。また、関数ＦおよびＧは、ピッチΔが大きいほど、変調量Ｆおよび制御量Ｇが大きくなるように調整されている。
【００５９】
次に、フレーム期間Ｆ２に続く水平ブランキング期間（「水平ブランキング期間Ｈ２」という）について説明する。
【００６０】
各画素Ｅ内の光センサＳは、この画素Ｅの位置の輝度を測定する。その輝度に応じたアナログ電圧は、スイッチ素子５、アンプａ２、ＡＤ変換回路６を介し、デジタル信号として制御部７に通知される。
【００６１】
制御部７は、各表示領域１０について並列に処理を行う。各処理の原理は同じであるから、表示領域１０の１つである表示領域１０’についての処理を説明し、他の表示領域１０については説明を省略する。
【００６２】
制御部７は、水平ブランキング期間Ｈ１において表示領域１０’内の光センサＳで測定され記憶しておいた各輝度情報と、水平ブランキング期間Ｈ２において表示領域１０’内の光センサＳで測定された各輝度情報とについて、全体としての変化の有無を検出する。
【００６３】
例えば、制御部７は、水平ブランキング期間Ｈ１において測定された各輝度の平均ＡＶ０と、水平ブランキング期間Ｈ２において測定された各輝度の平均ＡＶ１とを求め、差分＝ＡＶ０−ＡＶ１を計算する。
【００６４】
つまり、制御部７は、液晶パネルにおける光の透過率の増加およびバックライトから出射する光の光量の低下の前後において測定された輝度の間の差を計算するのである。
【００６５】
関数Ｆ、Ｇは、バックライトにバラツキや径時変化がなければ、差分＝０となるように、調整されている。つまり、関数Ｆ、Ｇは、バックライトにバラツキや径時変化がなければ、液晶パネルにおける光の透過率の増加およびバックライトから出射する光の光量の低下の前後において、液晶パネルの輝度が変化しないように調整されている。
【００６６】
よって、差分＜０または差分＞０となったならば、バックライトから出射する光の光量がバラツキや径時変化により、理想の光量に比べて低下または増加していることになる。この場合、例えば、ある表示領域１０が他の表示領域１０に比べて暗くまたは明るくなってしまう。つまり、輝度ムラが生じてしまう。
【００６７】
そこで、制御部７の輝度差解消部７１は、例えば、差分＜０または差分＞０なら、補正量ｋを、差分に応じた値に設定し、関数ｆに、その補正量ｋを入力し、変調量（変調量ｆという）を得る。
【００６８】
輝度差解消部７１は、同じく差分＜０または差分＞０なら、補正量ｋを、差分に応じた値に設定し、関数ｇに、その補正量ｋを入力し、制御量（制御量ｇという）を得る。
【００６９】
輝度差解消部７１は、変調量ｆを表示領域１０’に対応する各変調回路３に伝え、制御量ｇと表示領域１０’の位置をバックライト制御部８に伝える。バックライト制御部８は、フレーム期間Ｆ２において表示領域１０’に対応するＬＥＤ９から出射した光の光量から制御量ｇを減算する。つまり、制御量Ｇを減算した後の光量からさらに制御量ｇを減算する。制御量ｇは負値となる場合があり、この場合、フレーム期間Ｆ２における光量より多い光量が計算される。
【００７０】
次に、水平ブランキング期間Ｈ２に続くフレーム（表示）期間（「フレーム期間Ｆ３」という）について説明する。
【００７１】
フレーム期間Ｆ３において各変調回路３は、フレーム期間Ｆ２において表示領域１０’に表示された画像の表示に用いられた各階調値に変調量ｆを加算する。つまり、変調量Ｆを加算した後の階調値に対しさらに変調量ｆを加算する。変調量ｆは負値となる場合があり、この場合、フレーム期間Ｆ２における階調値より小さな階調値が計算される。そして、表示領域１０’には、変調量ｆを加算した後の階調値による画像が表示される。
【００７２】
また、フレーム期間Ｆ３においてバックライト制御部８は、表示領域１０’に対応するＬＥＤ９から、制御量ｇを減算した後の光量の光を出射させる。
【００７３】
関数ｆ、ｇは、差分＝ＡＶ０−ＡＶ１＝０となるように調整されている。
【００７４】
つまり、関数ｆ、ｇは、液晶パネルにおける光の透過率の増加およびバックライトから出射する光の光量の低下の前後において測定された輝度の間に差があったなら、当該差がなくなるように調整されている。
【００７５】
よって、バックライトから出射する光の光量がバラツキや径時変化により、理想の光量に比べて低下または増加している場合であっても、各表示領域１０の輝度を、バラツキや径時変化がない場合の輝度と同じにすることができる。したがって、ある表示領域１０が他の表示領域１０に比べて暗くまたは明るくなってしまうことがない。つまり、輝度ムラが生じるのを防止することができる。
【００７６】
制御部７は、新たな階調値がメモリに記憶されたときは、そのメモリから最高階調値Ｇｍａｘおよび最低階調値Ｇｍｉｎを求め、これ以降、液晶表示装置では、前述の動作と同様な動作がなされることになる。
【００７７】
なお、本実施の形態では、表示領域１０’の各輝度の全体としての変化の有無を検出する際に、各輝度の平均を求めたが、これを例えば、各輝度の中間値に代えてもよい。
【００７８】
また、本実施の形態では、バラツキや径時変化により生じた光量の差および輝度の差を関数ｆとｇを用いてなくすようにしたが、いずれか一方の関数を用い、つまり、階調値の変調だけまたは光量の制御だけで、バラツキや径時変化による光量の差および輝度の差をなくすようにしてもよい。
【００７９】
また、本実施の形態では、液晶パネルにおける光の透過率の増加およびバックライトから出射する光の光量の低下の前後において測定された輝度の間の差がなくなるようにしたが、以下のようにしてもよい。
【００８０】
まず、予め定められた画像（例えば、白一色の画像）が液晶パネルに表示されているときに、光センサＳが、液晶パネルの輝度を測定する。そして、輝度差解消部７１は、測定された輝度と予め定められた輝度との間に差があったなら、当該差がなくなるようにする。
【００８１】
予め定められた輝度は、その画像が表示され、バックライトから出射する光の光量が予め定められたものであるときには、測定された輝度と等しくなるように設定されたものである。
【００８２】
したがって、それらの輝度の間に差があったなら、バラツキや径時変化により、光量が理想の光量に対して低下または増加していることになるので、輝度差解消部７１は、前述のように、当該差がなくなるようにすればよいのである。
【００８３】
また、上記の実施の形態では、ＬＥＤを備えるサイドライト型のバックライトを使用したときのことを説明したが、冷陰極管を導光板の側面に対向配置したサイドライト型のバックライトを備える液晶表示装置において上述の動作がなされるようにしてもよい。
【００８４】
また、ＬＥＤや冷陰極管を備える直下型のバックライトを備える液晶表示装置において上述の動作がなされるようにしてもよい。
【００８５】
また、上記の実施の形態では、光センサＳは全ての画素Ｅに設けた場合につき説明しているが、個々のＬＥＤ９が受け持つ表示領域１０内には複数の画素Ｅが存在しているために、この光センサＳは複数の画素Ｅをグループ化したグループ単位毎に配置させて装置全体の構成を簡略化させることも可能である。
【図面の簡単な説明】
【００８６】
【図１】本発明の実施の形態に係る液晶表示装置の平面図とブロック図を示す図である。
【図２】液晶パネルに構成された各表示領域１０ならびに各ＬＥＤ９を示す図である。
【図３】画素Ｅの位置による輝度の分布を示す図である。
【図４】階調値、光の透過率、輝度および光量が連動することを説明するための図である。
【図５】従来の液晶表示装置における階調とバックライトの制御を説明するための図である。
【符号の説明】
【００８７】
１  シフトレジスタ
２  ラッチ回路
３  変調回路
４  ＤＡ変換回路
５  スイッチ素子
６  ＡＤ変換回路
７  制御部
７１  輝度差解消部
８  バックライト制御部
Ｅ  画素
Ｐ  画素電極
Ｑ  薄膜トランジスタ
Ｓ  光センサ
Ｘ  信号線
Ｙ  走査線
【図１】
2008310148.tif 000003
【図２】
2008310148.tif 000004
【図３】
2008310148.tif 000005
【図４】
2008310148.tif 000006
【図５】
2008310148.tif 000007